(57)【要約】【課題】目的とする場所に容易に取りつけ可能な天井埋込型換気扇用設置枠、及びこれを備えた天井埋込型換気扇装置を提供する。【解決手段】天井埋込型換気扇装置１を固定するための中空方形状の水平平面部２１と、水平平面部２１の周縁から起立し設置位置において建物躯体に固定するための垂直側面部２２と、を備えた天井埋込型換気扇用設置枠２及びこれを備えた天井埋込型換気扇装置１を提供する。天井埋込型換気扇装置を中空方形状の設置枠を介して建物躯体に固定するため、容易に取り付け、取り外しを行うことが可能となる。【選択図】図２
2020016414.tif 000002
【特許請求の範囲】
【請求項１】
天井埋込型換気扇を固定するための中空方形状の水平平面部と、
前記水平平面部の周縁から起立し設置位置において建物躯体に固定するための垂直側面部と、を備えた天井埋込型換気扇用設置枠。
【請求項２】
前記水平平面部は、
前記天井埋込型換気扇の配置状態において鉛直方向で当該天井埋込型換気扇の荷重を受け止め、
前記垂直側面部は、
前記天井埋込型換気扇の配置状態において水平方向で前記建物躯体の内周側に隣接配置されて固定される請求項１記載の天井埋込型換気扇用設置枠。
【請求項３】
コ字型形状部材と、
I字型形状部材と、を備え、
前記中空方形状は、
前記コ字型形状部材と前記I字型形状部材との組み合わせにより形成され、
前記コ字型形状部材に対する前記I字型形状部材の位置により内周空間の面積を変更可能である請求項１または２に記載の天井埋込型換気扇用設置枠。
【請求項４】
前記コ字型形状部材は、
水平方向に延伸する溝部を前記垂直側面部に備え、
前記I字型形状部材は、
前記溝部に摺動可能に係合する突起部を前記垂直側面部に備え、
前記中空方形状は、
前記溝部の摺動により内周空間の面積を変更可能とするスライド機構を備えた請求項３に記載の天井埋込型換気扇用設置枠。
【請求項５】
前記水平平面部は、
前記中空方形状の外周方向に突出する突出平面部を備え、
前記突出平面部は、
前記水平平面部の対向する２辺それぞれの両端部に設けられた請求項１から４のいずれか一項に記載の天井埋込型換気扇用設置枠。
【請求項６】
前記垂直側面部は、
前記建物躯体に固定するための複数の丸孔と、
前記複数の丸孔の略水平の位置に縦方向の長孔と、を備えた請求項１から５のいずれか一項に記載の天井埋込型換気扇用設置枠。
【請求項７】
前記垂直側面部は、
吊り金具を係止する吊り金具係止部を備えた請求項１から６のいずれか一項に記載の天井埋込型換気扇用設置枠。
【請求項８】
前記コ字型形状部材は、
対抗する２つの対向部と、
前記対向部位に直行する直行部と、を備え、
前記対向部に属する前記水平平面部は、
前記直行部に属する前記水平平面部に対して段差を有する請求項１から７のいずれか一項に記載の天井埋込型換気扇用設置枠。
【請求項９】
天井埋込型換気扇と、
前記天井埋込型換気扇とは独立した部材として設けられた天井埋込型換気扇用設置枠と、を備え、
前記天井埋込型換気扇用設置枠は、
天井埋込型換気扇を固定するための中空方形状の水平平面部と、
前記水平平面部の周縁から起立し設置位置において建物躯体に固定するための垂直側面部と、を備えた天井埋込型換気扇装置。
【発明の詳細な説明】
【技術分野】
【０００１】
本発明は、天井埋込型換気扇用設置枠及び天井埋込型換気扇装置に関する。
【背景技術】
【０００２】
従来の天井埋込型換気扇として、天井開口に埋め込まれる隠蔽部と、天井下面に接するフランジ部で構成されており、フランジ部の下側から天井に向けてネジ締結することにより、天井に取り付けるものが広く知られている。
【０００３】
特許文献１には、下面に吸気開口、側面または上面に排気開口が設けられ、室内側天井の開口部縁の周囲に設けられる野縁に取り付けられる換気扇本体と、吸気開口を覆うように取り付けられた本体カバーを有する天井換気扇において、換気扇本体側面下方に複数の取付孔が設けられ、取付穴に挿入された筒状のスペーサと、スペーサを貫通する取付ネジを用いて、スペーサが野縁に当接するように取付ネジで取り付けられる天井用換気扇が開示されている。
【先行技術文献】
【特許文献】
【０００４】
【特許文献１】特開２００５−４８９８６号公報
【発明の概要】
【発明が解決しようとする課題】
【０００５】
しかしながら、スペーサを用いて天井換気扇（本願における天井埋込型換気扇）を天井に固定する際には、施工者は施工現場でスペーサの厚みを調整する必要があり、施工に手間がかかる。また、メンテナンス時には、天井埋込型換気扇を天井から外し、部品交換後に天井に取り付けるにあたって、スペーサの位置間違いにより、正しく固定できない可能性がある。
【０００６】
本発明は、上記課題を解決するものであり、天井埋込型換気扇を目的とする場所に容易に取りつけ可能な天井埋込型換気扇用設置枠及び当該天井埋込型換気扇用設置枠を備えた天井埋込型換気扇装置を提供することを目的としている。
【課題を解決するための手段】
【０００７】
上記目的を達成するために、本発明に係る天井埋込型換気扇用設置枠は、天井埋込型換気扇を固定するための中空方形状の水平平面部と、前記水平平面部の周縁から起立し設置位置において建物躯体に固定するための垂直側面部とを備える。
【発明の効果】
【０００８】
本発明に係る天井埋込型換気扇用設置枠によれば、天井埋込型換気扇を中空方形状の設置枠を介して固定するため、容易に取り付け、取り外しを行うことが可能となる。
【図面の簡単な説明】
【０００９】
【図１】第１の実施形態における天井埋込型換気扇用設置枠を設置した状態を示す概略図である。
【図２】本発明に係る天井埋込型換気扇用設置枠の上面図である。
【図３】本発明に係る天井埋込型換気扇用設置枠の側面図である。
【図４】本発明に係る天井埋込型換気扇用設置枠を吊りボルトで固定した際の例を示す図である。
【図５】天井埋込型換気扇の排気ダクトと吊りボルトが干渉する場合の天井埋込型換気扇用設置枠の設置例を示す図である。
【発明を実施するための形態】
【００１０】
以下、実施の形態について、図面を参照しながら説明する。なお、以下で説明する実施の形態は、本発明を具体化した一例であり、本発明を限定する主旨のものではない。
【００１１】
（実施形態１）
図１、図２、図３を用いて、本発明に係る天井埋込型換気扇用設置枠の第１の実施形態の構成について説明する。なお、図１は、本発明に係る天井埋込型換気扇装置１と天井埋込型換気扇用設置枠２（設置枠）を天井裏に設置し、天井裏の野縁に固定した状態を示す概略図である。図２は、本発明に係る天井埋込型換気扇用設置枠を天井裏から見た状態を示す上面図である。図３は、本発明に係る天井埋込型換気扇用設置枠の側面図である。
【００１２】
天井埋込型換気扇装置１は、天井埋込型換気扇本体１１と、吸気開口１２と、排気開口１３と、送風機とを備えている。天井埋込型換気扇装置１は、天井埋込型換気扇用設置枠２を介して例えば野縁等の建物躯体３に固定され、すなわち天板３０近傍に配置される。
【００１３】
天井埋込型換気扇本体１１は、略立方体形状を有し、設置位置である天井への設置状態において、下面に吸気開口１２を備え、下面に隣接する側面に排気開口１３を備える。また、天井埋込型換気扇本体１１は、内部空間の天面側に一部を天面から上方に貫通してモータ３１と、モータ３１の下方に接続された羽根とを備えた送風機を備える。
【００１４】
吸気開口１２は、下面の例えば室内に向けて設けられており、天板３０よりも後述のルーバー枠４１の高さだけ上方に位置している。吸気開口１２は、ルーバー枠４１を介して下方に設けられた、後述の天井板４２と対向する。
【００１５】
排気開口１３は、例えば方形状を有しており、アダプター３２が接続される。
【００１６】
アダプター３２は、一端が排気開口１３と同一形状の方形状を有しており、他端が円形状を有している。アダプター３２は、一端が排気開口１３に接続され、他端には例えばダクトが接続される。
【００１７】
ダクトは、一端が排気開口１３に接続され、他端が屋外に連通されている。
【００１８】
送風機は、給電によりモータ３１を介して羽根を回転させることで、吸気開口１２から排気開口１３に空気を導く。これにより、天井埋込型換気扇装置１は、吸気開口１２から例えば屋内の空気を吸い込み、天井埋込型換気扇本体１１の内部空間、排気開口１３、アダプター３２、及び例えばダクトを介して屋外に排出する。
【００１９】
天井埋込型換気扇用設置枠２は、水平平面部２１と、垂直側面部２２とを備える。
【００２０】
水平平面部２１は、図２に示すように、中空方形状の枠体であり、天井埋込型換気扇装置１の配置状態において、水平平面部２１の下部に天井埋込型換気扇本体１１の下面外周の上部（フランジ）を重ねて配置され、下方より上方に向けてネジ止め等で係止されることにより、天井埋込型換気扇本体１１の荷重を鉛直方向で受け止める。
【００２１】
垂直側面部２２は、水平平面部２１の外周側の周縁から起立する。なお、ここで起立とは、水平平面部２１に対して垂直に立設されていることを言う。そして、天井への配置状態では、水平平面部２１が鉛直上方に位置し、垂直平面部２２は水平平面部２１から鉛直下方に向けて立設される。垂直側面部２２は、外周面に建物躯体３を位置させ、言い換えると建物躯体３の内周側に垂直側面部２２を隣接配置し、垂直側面部２２と建物躯体３とを係止することで、天井埋込型換気扇本体１１を建物躯体３に固定するための部位である。垂直側面部２２は、図３に示すように、四つの面に水平方向に複数設けられた丸孔２２ａを備える。そして、丸孔２２ａを貫通する取付ネジが、躯体３に対して水平方向、つまり中空方形状における内周空間において内周側より外周側に向けてネジ止めされることにより、垂直側面部２２と建物躯体３とが固定される。なお、取付ネジが貫通する丸孔２２ａの略水平の位置には、配置状態において縦方向に延びる長孔２２ｂが、垂直側面部２２を構成する四つの面のうち少なくとも１つの面に設けられている。
【００２２】
また、天井埋込型換気扇用設置枠２は、天井埋込型換気扇本体１１の下面の大きさに応じて中空方形状における内周空間の開口部の面積を変更可能である。
【００２３】
以下、図２を参照しながら、開口部の面積を変更可能にする構造について詳しく説明する。
【００２４】
天井埋込型換気扇用設置枠２は、主に配置時の上面視にしてコ字型形状を有するコ字型形状部材２３と、Ｉ字型形状を有するＩ字型形状部材２４との２部品で構成されている。天井埋込型換気扇用設置枠２は、コ字型形状部材２３の両先端部に対してＩ字型形状部材２４の両端部を一致させて係止することにより、それぞれの水平平面部で中空方形状を形成している。天井埋込型換気扇用設置枠２の内周空間は、コ字型形状部材２３の凹方向におけるＩ字型形状部材２４の固定位置によって、面積が変更可能となっている。なお、中空方形状におけるＩ字型形状部材２４の固定位置は、スライド機構により変更可能である。
【００２５】
スライド機構は、溝部２５と、突起部２６とを備える。
【００２６】
溝部２５は、コ字型形状部材２３における対向する２辺、すなわち対向部３３、対向部３４それぞれの開口側（図２における左側）の垂直側面部２２に、水平方向に延伸する切り込みとして設けられる。
【００２７】
突起部２６は、Ｉ字型形状部材２４の両端から対向部３３、対向部３４を超えて突出し、溝部２５に係合して水平方向に摺動可能な突起として設けられる。
【００２８】
溝部２５と突起部２６の摺動可能な係合により、天井埋込型換気扇用設置枠２は、Ｉ字型形状部材２４がコ字型形状部材２３に対して、矢印３５、矢印３６で示した水平方向に可動することで、中空方形状の水平方向の幅、言い換えると内周空間の面積が変更可能となる。
【００２９】
コ字型形状部材２３は、４つの突出平面部２１ａを備える。
【００３０】
突出平面部２１ａは、コ字型形状部材２３の対向する対向部３３、対向部３４それぞれの水平平面部の両端に、中空方形状の外周方向に突出して設けられている。
【００３１】
また、図３に示すように、コ字型形状部材２３の対向する対向部３３及び対向部３４の水平平面部２１ｃと、対向部３３及び対向部３４に直交する直行部３７及び直行部３８の水平平面部２１ｄとは、同一平面上には位置しない。言い換えると、対向部３３と対向部３４の水平平面部は同一平面上に位置し、直行部３７と直行部３８の水平平面部は同一平面上に位置するが、対向部３３及び対向部３４の水平平面部と、直行部３７及び直行部３８の水平平面部との間には段差３９が設けられている。
【００３２】
より具体的には、本実施の形態では、設置状態において、対向部３３及び対向部３４の水平平面部の下側に、直行部３７及び直行部３８の水平平面部が位置するように段差３９が設けられている。
【００３３】
以上が、本実施の形態に係る天井埋込型換気扇１及び天井埋込型換気扇用設置枠２の構成である。
【００３４】
続いて、天井埋込型換気扇装置１および天井埋込型換気扇用設置枠２の施工手順について説明する。
【００３５】
まず、コ字型形状部材２３とＩ字型形状部材２４とを組み合わせて、中空方形状の枠体を組み立てる。この際、上述のスライド機構を利用し、天井埋込型換気扇本体１１の下面におけるフランジの内周、つまり吸気開口１２の大きさに合わせて、枠体に天井埋込型換気扇本体１１を挿入可能となるサイズに中央開口を調節しておく。
【００３６】
次に、天井埋込型換気扇用設置枠２を、天板３０の上方に格子状に組まれた建物躯体３に設置する。この際、水平平面部２１が鉛直上方に位置し、垂直側面部２２が水平平面部２１の下方に位置するように配置する。この際、水平平面部２１の両端部に設けられた突出平面部２１ａを利用し、天井埋込型換気扇用設置枠２を取り付ける際に、建物躯体３の上面に引っ掛けるようにして仮置きすることが可能である。そして施工者は、仮置きにより両手が空いた状態で、垂直側面部２２と建物躯体３とのネジ止め作業が可能となる。
【００３７】
ネジ止め作業時には、施工者は中央開口の下方から内周空間に頭を挿入し、長孔２２ｂを介して天板３０と建物躯体３との境を見極めることができる。このため、施工者が、建物躯体３よりも強度の低い天板３０に、天井埋込型換気扇用設置枠２をネジ止めすることを防止することができる。
【００３８】
なおここで、天井埋込型換気扇用設置枠２と建物躯体３の寸法に誤差が生じた場合には、天井埋込型換気扇用設置枠２を再加工して変形することなく、スライド機構による水平方向の可動により、寸法誤差を吸収できるため建物躯体３への設置が容易となる。
【００３９】
天井埋込型換気扇用設置枠２の建物躯体３への固定が完了すると、続いてダクトに接続するために出っ張りがあるアダプター３２のみを、先に中央開口部の端部に固定する。
【００４０】
アダプター３２は、例えばＩ字型形状部材２４またはＩ字型形状部材２４に対向する直行部３８に固定される。
【００４１】
続いて、吸気開口１２を鉛直下方に向けた状態で天井埋込型換気扇本体１１を中央開口にはめ込む。はめ込みに際して、アダプター３２には下方から上方に向かうスライド溝が設けられており、天井埋込型換気扇本体１１のアダプター接続面をスライド溝に挿入して上方に持ち上げることにより、天井埋込型換気扇本体１１とアダプター３２とが密着する。天井埋込型換気扇本体１１の吸気開口１２の外周側に設けられたフランジが水平平面部２１の裏面（鉛直下方に位置する面）に接触した状態で、施工者はフランジと水平平面２１とを下方からネジ止めする。
【００４２】
ネジ止めは、対向部３３及び対向部３４の水平平面２１に対して行われる。具体的には、鉛直下方からフランジ、対向部３３（または対向部３４）の順で重ね合わした状態でフランジと対向部３３（または対向部３４）とをネジ止めする。上述のように水平平面部２１ｃと水平平面部２１ｄとが同一平面上に存在せず、すなわち直行部３８を構成する水平平面部２１ｄが対向部３３を形成する水平平面部２１ｄより下方にある。このため、ネジ止めにより水平平面２１ｄとフランジが密着し、水平平面２１ｃと対向部３３との空間が潰されて閉じられる。したがって、容易な構成で内周空間の開口部の面積を変更可能としながらも、天井裏の空気が水平平面２１ｃと対向部３３との空間を通って室内に引き込まれることを抑制することができる。
【００４３】
つまり、天井埋込型換気扇用設置枠２及び天井埋込型換気扇１の設置が容易となり、１人でも取付作業が可能となる。
【００４４】
なおこの後、吸気開口１２の下方にルーバーを取り付けるが、ルーバーの詳細については後述する。
【００４５】
ところで、建物の天井の形状、言い換えると建物躯体３の形状には様々なものがある。したがって、天井埋込型換気扇用設置枠２も、様々な形状に対応できることが望ましく、この対応について図４、図５を用いて説明する。なお図４は、天井埋込型換気扇用設置枠を吊りボルトで固定した際の例を示す図である。また図５は、天井埋込型換気扇の排気ダクトと吊りボルトが干渉する場合の天井埋込型換気扇用設置枠の設置例を示す図である。
【００４６】
垂直側面部２２は、さらに吊り金具Ａを係止するための吊り金具接続部２７を備える。なお、吊り金具Ａは、建物躯体３が軽量鉄骨などの金属製の場合や、あるいは天井埋込型換気扇１の荷重を支えられない程強度の低い木材等の場合は、天井埋込型換気扇用設置枠２を建物躯体３にネジ止めすることはできない。このため、吊りボルトＢと吊り金具Ａを用いて所定位置に固定する。つまり吊り金具Ａには吊りボルトＢが接続され、吊りボルトＢの上端は例えば他の建物躯体に固定される。
【００４７】
吊り金具接続部２７は、対向部３３、対向部３４における垂直側面部２２の両端近傍に設けられる。そして、図４に示すように、排気ダクト（アダプター３２）が吊りボルトＢ、吊り金具Ａに干渉しない場合は、吊りボルトＢおよび吊り金具Ａを天井埋込型換気扇用設置枠２の対向する２辺に２つずつ対向する形で取り付ける。
【００４８】
これに対して、アダプター３２が吊りボルトＢや吊り金具Ａの位置と干渉する場合、排気ダクトの位置変更は困難である。そして、天井埋込型換気扇用設置枠が正方形であれば、天井埋込型換気扇用設置枠の配置を例えば９０度ずらせば良いのであるが、天井埋込型換気扇用設置枠２は中央開口の面積が変更可能であるがゆえに、ずらす事ができない。このため、図５に示すように、排気ダクトと吊りボルトＢ、吊り金具Ａの位置が干渉しないように、吊り金具Ａの取り付け位置を変更できるように、対向部３３、対向部３４における垂直側面部２２にも金具接続部２７を備える。つまり、各辺には吊り金具接続部２７が設けられていることで、排気ダクトの方向に合わせて、吊り金具Ａの位置をずらすことが可能となっており、あらゆる方向の排気ダクトに対して天井埋込型換気扇用設置枠２を施工することができる。
【００４９】
以上、本発明の好ましい実施の形態について説明したが、本発明は上記実施の形態に限定されるものではなく、特許請求の範囲に記載の構成を含むものは全て本発明に含まれる。
【産業上の利用可能性】
【００５０】
本発明に係る天井埋込型換気扇用設置枠、天井埋込型換気扇装置は、容易に取り付け、取り外しを行うことが可能として有用である。
【符号の説明】
【００５１】
１    天井埋込型換気扇
２    天井埋込型換気扇用設置枠
３    建物躯体
１１    天井埋込型換気扇本体
１２    吸気開口
１３    排気開口
２１、２１ｃ、２１ｄ    水平平面部
２１ａ    突出平面部
２２    垂直側面部
２２ａ    丸孔
２２ｂ    長孔
２３    コ字型形状部材
２４    Ｉ字型形状部材
２５    溝部
２６    突起部
３０    天板
３１    モータ
３２    アダプター
３３    対向部
３４    対向部
３７、３８    直行部
３９    段差
【図１】
2020016414.tif 000003
【図２】
2020016414.tif 000004
【図３】
2020016414.tif 000005
【図４】
2020016414.tif 000006
【図５】
2020016414.tif 000007